【手続補正書】
【提出日】平成20年4月23日(2008.4.23)
【手続補正１】
【補正対象書類名】明細書
【補正対象項目名】発明の名称
【補正方法】変更
【補正の内容】
【発明の名称】記録装置及び記録方法
【手続補正２】
【補正対象書類名】明細書
【補正対象項目名】特許請求の範囲
【補正方法】変更
【補正の内容】
【特許請求の範囲】
【請求項１】  複数の記録素子を配列した記録ヘッドを用い、記録媒体上にカラー画像の記録を行う記録装置において、
画像データに応じて前記記録ヘッドの複数の記録素子を駆動して記録媒体上に画像を記録する記録ヘッド駆動手段と、
前記複数の記録素子の内、記録動作を行わない記録素子による記録画像の欠陥を補完するための、夫々異なる手法により補完を行う複数の補完手段と、
記録される画像に応じて前記複数の補完手段を選択的に用い、記録媒体への記録を制御する制御手段と、を有することを特徴とする記録装置。
【請求項２】  前記複数の補完手段は、記録動作を行わない記録素子に対応する記録位置に対して、前記記録動作を行わない記録素子による記録色とは異なる色により補完記録を行う第１の補完手段を含むことを特徴とする請求項１記載の記録装置。
【請求項３】  前記複数の補完手段は、記録動作を行わない記録素子に対応する画像データに基づいて、前記記録動作を行わない記録素子の近傍に位置する記録素子に対応する画像データを補正することにより、記録画像の欠陥を補完する第２の補完手段を含むことを特徴とする請求項１または２に記載の記録装置。
【請求項４】  前記制御手段は、記録される画像のデューティに対応した補完手段を用いて記録を行うよう制御することを特徴とする請求項３記載の記録装置。
【請求項５】  前記制御手段は、記録される画像のデューティが高い場合は、前記第１の補完手段を選択制御し、記録される画像のデューティが低い場合は、前記第２の補完手段を選択制御することを特徴とする請求項１記載の記録装置。
【請求項６】  前記第１の補完手段は、夫々異なる複数の色に対応した記録を行うと共に、記録動作を行わない記録素子による記録色と明度の近似する色により補完記録を行うことを特徴とする請求項２または５に記載の記録装置。
【請求項７】  前記第１の補完手段は、記録動作を行わない記録素子に対応した画像データを、補完記録を行う記録素子に対応した記録色に応じて補正する補正手段を有し、該補正手段により補正された画像データに基づいて補完記録を行うことを特徴とする請求項６に記載の記録装置。
【請求項８】  前記第２の補完手段は、記録動作を行わない記録素子に対応する濃度を示す多値の画像データが表す濃度に応じて、近傍の記録素子に対応した画像データが表す濃度を補正することを特徴とする請求項３または５に記載の記録装置。
【請求項９】  複数の記録素子を配列した記録ヘッドを用い、画像データに基づいて記録媒体上にカラー画像の記録を行う記録方法において、
前記複数の記録素子の内、記録動作を行わない記録素子を特定する工程と、
記録された画像を判定する工程と、
この判定結果に基づいて、記録動作を行わない記録素子による記録画像の欠陥を補完するための補完手法を夫々異なる複数の補完手法の中から選択制御する工程と、
選択された補完手法により、記録動作を行わない記録素子によって記録されるべき画像を補完して記録を行う工程と、を含むことを特徴とする記録方法。
【請求項１０】  複数の記録素子を配列した記録ヘッドを用い、該記録ヘッドにより複数の異なる色に対応した記録を行うことにより、記録媒体上にカラー画像の記録を行う記録装置において、
画像データに応じて前記記録ヘッドの複数の記録素子を駆動して記録媒体上に画像を記録する記録ヘッド駆動手段と、
前記複数の記録素子の内、記録動作を行わない記録素子に対応する記録位置に対して、前記記録動作を行わない記録素子による記録色と明度が近似する色であって記録色とは異なる色により補完記録を行う補完手段と、
を有することを特徴とする記録装置。
【請求項１１】  前記補完手段は、前記記録動作を行わない記録素子に対応した画像データを、補完記録を行う記録色に応じて補正する補正手段を有し、該補正手段により補正された画像データに基づいて補完記録を行うことを特徴とする請求項１０記載の記録装置。
【請求項１２】  複数の記録素子を配列した記録ヘッドを用い、該記録ヘッドにより複数の異なる色に対応した記録を行うことにより、記録媒体上にカラー画像の記録を行う記録方法において、
前記複数の記録素子の内、記録動作を行わない記録素子を特定する工程と、
画像データに基づいて記録を行う工程と、
前記記録を行う工程において、前記特定された記録動作を行わない記録素子に対応する記録位置に対し、前記記録動作を行わない記録素子による記録色と明度が近似する色であって記録色とは異なる色により補完記録を行う補完記録工程と、
を含むことを特徴とする記録方法。
【請求項１３】  複数の記録素子を配列した記録ヘッドを用い、該記録ヘッドにより複数の異なる色に対応した記録を行うことにより、記録媒体上にカラー画像の記録を行う記録装置において、
画像データに応じて前記記録ヘッドの複数の記録素子を駆動して記録媒体上に画像を記録する記録ヘッド駆動手段と、
黒色以外に対応する記録素子の内、記録動作を行わない記録素子に対応する記録位置に対して、黒色の記録を行う記録素子により補完記録を行う補完手段と、を有することを特徴とする記録装置。
【請求項１４】  前記補完手段は、前記記録動作を行わない記録素子に対応した画像データを、該画像データが示す色に応じて補正する補正手段を有し、該補正手段により補正された画像データに基づいて補完記録を行うことを特徴とする請求項１３記載の記録装置。
【請求項１５】  複数の記録素子を配列した記録ヘッドを用い、該記録ヘッドにより複数の異なる色に対応した記録を行うことにより、記録媒体上にカラー画像の記録を行う記録方法において、
画像データに応じて前記記録ヘッドの複数の記録素子を駆動して記録媒体上に画像を記録する工程と、
黒色以外に対応する記録素子の内、記録動作を行わない記録素子に対応する記録位置に対して、黒色の記録を行う記録素子により補完記録を行う補完記録工程と、
を含むことを特徴とする記録方法。
【請求項１６】  複数の記録素子を配列した記録ヘッドを用い、記録媒体上にカラー画像の記録を行う記録装置において、
濃度を示す多値の画像データを入力する入力手段と、
前記複数の記録素子の内、記録動作を行わない記録素子の近傍の記録素子に対応する画像データを補正する補正手段と、
前記補正手段により補正された画像データに基づいて、前記複数の記録素子に対応した、前記記録素子を駆動するための駆動データを生成する生成手段と、
生成された駆動データに応じて前記記録ヘッドの複数の記録素子を駆動して記録を行う記録制御手段と、
を有することを特徴とする記録装置。
【請求項１７】  前記補正手段は、前記記録動作を行わない記録素子の近傍に位置する記録素子に対応する多値の画像データを、該画像データが示す濃度のレベルを高くするよう補正することを特徴とする請求項１６記載の記録装置。
【請求項１８】  複数の記録素子を配列した記録ヘッドを用い、記録媒体上にカラー画像の記録を行う記録方法において、
濃度を示す多値の画像データを入力する工程と、
前記記録ヘッドにより記録したテストパターンの濃度のばらつきに基づいて、前記複数の記録素子の内、記録動作を行わない記録素子を判定する工程と、
前記濃度のばらつきに基づいて、前記複数の記録素子それぞれに対応する画像データを補正することにより、前記判定された記録動作を行わない記録素子の近傍に位置する記録素子に対応する画像データを、画像濃度を高くする補正を行う補正工程と、
前記補正工程により補正された画像データに基づいて、前記複数の記録素子に対応した、前記記録素子を駆動するための駆動データを生成する工程と、
生成された駆動データに応じて前記記録ヘッドの複数の記録素子を駆動して記録を行う工程と、
を含むことを特徴とする記録方法。
【手続補正３】
【補正対象書類名】明細書
【補正対象項目名】００１０
【補正方法】変更
【補正の内容】
【００１０】
（１）複数の記録素子を配列した記録ヘッドを用い、記録媒体上にカラー画像の記録を行う記録装置において、画像データに応じて前記記録ヘッドの複数の記録素子を駆動して記録媒体上に画像を記録する記録ヘッド駆動手段と、前記複数の記録素子の内、記録動作を行わない記録素子による記録画像の欠陥を補完するための、夫々異なる手法により補完を行う複数の補完手段と、記録される画像に応じて前記複数の補完手段を選択的に用い、記録媒体への記録を制御する制御手段と、を有することを特徴とする記録装置。
（２）前記複数の補完手段は、記録動作を行わない記録素子に対応する記録位置に対して、前記記録動作を行わない記録素子による記録色とは異なる色により補完記録を行う第１の補完手段を含むことを特徴とする前記（１）記載の記録装置。
（３）前記複数の補完手段は、記録動作を行わない記録素子に対応する画像データに基づいて、前記記録動作を行わない記録素子の近傍に位置する記録素子に対応する画像データを補正することにより、記録画像の欠陥を補完する第２の補完手段を含むことを特徴とする前記（１）または（２）に記載の記録装置。
（４）前記制御手段は、記録される画像のデューティに対応した補完手段を用いて記録を行うよう制御することを特徴とする前記（３）記載の記録装置。
（５）前記制御手段は、記録される画像のデューティが高い場合は、前記第１の補完手段を選択制御し、記録される画像のデューティが低い場合は、前記第２の補完手段を選択制御することを特徴とする前記（１）記載の記録装置。
（６）前記第１の補完手段は、夫々異なる複数の色に対応した記録を行うと共に、記録動作を行わない記録素子による記録色と明度の近似する色により補完記録を行うことを特徴とする前記（２）または（５）に記載の記録装置。
（７）前記第１の補完手段は、記録動作を行わない記録素子に対応した画像データを、補完記録を行う記録素子に対応した記録色に応じて補正する補正手段を有し、該補正手段により補正された画像データに基づいて補完記録を行うことを特徴とする前記（６）に記載の記録装置。
（８）前記第２の補完手段は、記録動作を行わない記録素子に対応する濃度を示す多値の画像データが表す濃度に応じて、近傍の記録素子に対応した画像データが表す濃度を補正することを特徴とする前記（３）または（５）に記載の記録装置。
（９）複数の記録素子を配列した記録ヘッドを用い、画像データに基づいて記録媒体上にカラー画像の記録を行う記録方法において、
前記複数の記録素子の内、記録動作を行わない記録素子を特定する工程と、
記録された画像を判定する工程と、この判定結果に基づいて、記録動作を行わない記録素子による記録画像の欠陥を補完するための補完手法を夫々異なる複数の補完手法の中から選択制御する工程と、選択された補完手法により、記録動作を行わない記録素子によって記録されるべき画像を補完して記録を行う工程と、を含むことを特徴とする記録方法。
（１０）複数の記録素子を配列した記録ヘッドを用い、該記録ヘッドにより複数の異なる色に対応した記録を行うことにより、記録媒体上にカラー画像の記録を行う記録装置において、画像データに応じて前記記録ヘッドの複数の記録素子を駆動して記録媒体上に画像を記録する記録ヘッド駆動手段と、前記複数の記録素子の内、記録動作を行わない記録素子に対応する記録位置に対して、前記記録動作を行わない記録素子による記録色と明度が近似する色であって記録色とは異なる色により補完記録を行う補完手段と、を有することを特徴とする記録装置。
（１１）前記補完手段は、前記記録動作を行わない記録素子に対応した画像データを、補完記録を行う記録色に応じて補正する補正手段を有し、該補正手段により補正された画像データに基づいて補完記録を行うことを特徴とする前記（１０）記載の記録装置。
（１２）複数の記録素子を配列した記録ヘッドを用い、該記録ヘッドにより複数の異なる色に対応した記録を行うことにより、記録媒体上にカラー画像の記録を行う記録方法において、前記複数の記録素子の内、記録動作を行わない記録素子を特定する工程と、画像データに基づいて記録を行う工程と、前記記録を行う工程において、前記特定された記録動作を行わない記録素子に対応する記録位置に対し、前記記録動作を行わない記録素子による記録色と明度が近似する色であって記録色とは異なる色により補完記録を行う補完記録工程と、を含むことを特徴とする記録方法。
（１３）複数の記録素子を配列した記録ヘッドを用い、該記録ヘッドにより複数の異なる色に対応した記録を行うことにより、記録媒体上にカラー画像の記録を行う記録装置において、画像データに応じて前記記録ヘッドの複数の記録素子を駆動して記録媒体上に画像を記録する記録ヘッド駆動手段と、黒色以外に対応する記録素子の内、記録動作を行わない記録素子に対応する記録位置に対して、黒色の記録を行う記録素子により補完記録を行う補完手段と、を有することを特徴とする記録装置。
（１４）前記補完手段は、前記記録動作を行わない記録素子に対応した画像データを、該画像データが示す色に応じて補正する補正手段を有し、該補正手段により補正された画像データに基づいて補完記録を行うことを特徴とする前記（１３）記載の記録装置。
（１５）複数の記録素子を配列した記録ヘッドを用い、該記録ヘッドにより複数の異なる色に対応した記録を行うことにより、記録媒体上にカラー画像の記録を行う記録方法において、画像データに応じて前記記録ヘッドの複数の記録素子を駆動して記録媒体上に画像を記録する工程と、黒色以外に対応する記録素子の内、記録動作を行わない記録素子に対応する記録位置に対して、黒色の記録を行う記録素子により補完記録を行う補完記録工程と、を含むことを特徴とする記録方法。
（１６）複数の記録素子を配列した記録ヘッドを用い、記録媒体上にカラー画像の記録を行う記録装置において、濃度を示す多値の画像データを入力する入力手段と、前記複数の記録素子の内、記録動作を行わない記録素子の近傍の記録素子に対応する画像データを補正する補正手段と、前記補正手段により補正された画像データに基づいて、前記複数の記録素子に対応した、前記記録素子を駆動するための駆動データを生成する生成手段と、生成された駆動データに応じて前記記録ヘッドの複数の記録素子を駆動して記録を行う記録制御手段と、を有することを特徴とする記録装置。
（１７）前記補正手段は、前記記録動作を行わない記録素子の近傍に位置する記録素子に対応する多値の画像データを、該画像データが示す濃度のレベルを高くするよう補正することを特徴とする前記（１６）記載の記録装置。
（１８）複数の記録素子を配列した記録ヘッドを用い、記録媒体上にカラー画像の記録を行う記録方法において、濃度を示す多値の画像データを入力する工程と、前記記録ヘッドにより記録したテストパターンの濃度のばらつきに基づいて、前記複数の記録素子の内、記録動作を行わない記録素子を判定する工程と、前記濃度のばらつきに基づいて、前記複数の記録素子それぞれに対応する画像データを補正することにより、前記判定された記録動作を行わない記録素子の近傍に位置する記録素子に対応する画像データを、画像濃度を高くする補正を行う補正工程と、前記補正工程により補正された画像データに基づいて、前記複数の記録素子に対応した、前記記録素子を駆動するための駆動データを生成する工程と、
生成された駆動データに応じて前記記録ヘッドの複数の記録素子を駆動して記録を行う工程と、を含むことを特徴とする記録方法。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】